(57)【要約】【課題】  開閉自在な開口と、開口を挟んで設けられた一対の取手とを備えたバッグであって、ファッション性および実用性が共に高いバッグを提供する。【解決手段】  バッグは、開閉自在な開口と、開口を挟んで設けられた一対の取手と、を有するバック本体と、バック本体の一対の取手に取り外し自在に取り付けられる開閉規制部材と、を備えている。開閉規制部材は、バッグ本体の開口の開閉を規制する。開閉規制部材はビーズを糸で編み込んで形成された細長状の細長状体を有する。【選択図】  図１
2006102300.tif 000002
【特許請求の範囲】
【請求項１】
開閉自在な開口と、開口を挟んで設けられた一対の取手と、を有するバック本体と、
バック本体の一対の取手に取り外し自在に取り付けられ、開口の開閉を規制する開閉規制部材と、を備え、
開閉規制部材はビーズを糸で編んで形成された細長状の細長状体を有する
ことを特徴とするバッグ。
【請求項２】
開閉規制部材の細長状体は帯状からなり、細長状体に帯状の帯状体が貼り付けられている
ことを特徴とする請求項１に記載のバッグ。
【請求項３】
開閉規制部材は細長状体に設けられた取付金具を介してバッグ本体に取り付けられる
ことを特徴とする請求項１または２に記載のバッグ。
【請求項４】
開閉規制部材は細長状体に接続金具を介して接続される細長状の保安用細長状体をさらに有し、
保安用細長状体は、保安用細長状体に設けられた連結金具を介して、バッグ本体またはバッグ本体に収納された収納物に連結される
ことを特徴とする請求項１乃至３のいずれか一項に記載のバッグ。
【請求項５】
保安用細長状体はビーズを糸で編んで形成されている
ことを特徴とする請求項４に記載のバッグ。
【請求項６】
バッグの取手に取り付けられる装飾品であって、
ビーズを糸で編んで形成された細長状の細長状体を備えた
ことを特徴とするバッグ用の装飾品。
【請求項７】
細長状体は帯状からなり、細長状体に帯状の帯状体が貼り付けられている
ことを特徴とする請求項６に記載のバッグ用の装飾品。
【請求項８】
細長状体に設けられた取付金具を介してバッグに取り付けられる
ことを特徴とする請求項６または７に記載のバッグ用の装飾品。
【請求項９】
細長状体に接続金具を介して接続される細長状の保安用細長状体をさらに備え、
保安用細長状体は、保安用細長状体に設けられた連結金具を介して、バッグまたはバッグに収納された収納物に連結される
ことを特徴とする請求項６乃至８のいずれか一項に記載のバッグ用の装飾品。
【請求項１０】
保安用細長状体はビーズを糸で編んで形成されている
ことを特徴とする請求項９に記載のバッグ用の装飾品。
【発明の詳細な説明】
【技術分野】
【０００１】
本発明は、バッグおよびバッグ用の装飾品に関する。
【背景技術】
【０００２】
ハンドバッグ、ショルダーバッグ、ボストンバッグ等の様々なバッグ（鞄）が用いられている。バッグは、日常生活の中での使用頻度が非常に高く、物を収納して持ち運ぶという実用性だけでなく、ファッション性も重要視されている。このため、複数のバッグを所有し、状況に応じてバッグを使い分けるということが行われている。
【０００３】
また、バッグのファッション性を高めるため、バッグの取手にスカーフを巻き付けて使用することも行われている。
【発明の開示】
【発明が解決しようとする課題】
【０００４】
しかしながら、状況に応じて多様なファッション性を発揮することができるバッグがあれば、バッグの保管スペースや費用等の面から非常に有用である。
【０００５】
また、スカーフを巻き付けたとしても、スカーフの模様だけでは多様なファッション性を発揮するのには限界がある。さらに、スカーフは軽いので、使用者はスカーフを落としたり盗まれたりしたとしても、その事実に気付きにくい。また、バッグの使用中、スカーフが風に舞って何かに引っ掛かってしまうこともあり、この場合、スカーフが破れてしまうだけでなく、使用者の歩行を害してしまう虞もある。このようなことから、比較的に高価なスカーフを複数枚用意し、状況に応じて適切なスカーフを選択してバッグに巻き付けたとしても、十分な効果が得られているとは言い難い。
【０００６】
さらに、近頃、開閉自在な開口と、開口を挟んで設けられた一対の取手と、を有するバッグが非常に広く受け入れられている。このようなバッグの多くは、使い勝手を向上させるため開口を覆う蓋が設けられておらず、また、そのようなデザインが広く受け入れられる原因となっている。したがって、開口の開閉が規制されていないため、バッグの持ち運び時におけるバッグ内からの収納物の落下あるいは盗難等の虞があり、使い勝手は良いが真に実用性が高いとは言い難い。
【０００７】
このようなことから、バッグのファッション性を高めることができるとともに、さらに、バッグの実用性を高めることができる装飾品を取り付けられたバッグは、購買意欲を強くそそるであろう。
【０００８】
本発明はこのような点を考慮してなされたものであり、開閉自在な開口と、開口を挟んで設けられた一対の取手とを備えたバッグであって、ファッション性および実用性が共に高いバッグを提供することを目的とする。
【０００９】
本発明のさらなる目的は、バッグのファッション性および実用性を高めることができる装飾品を提供することである。
【課題を解決するための手段】
【００１０】
本発明は、開閉自在な開口と、開口を挟んで設けられた一対の取手と、を有するバック本体と、バック本体の一対の取手に取り外し自在に取り付けられ、開口の開閉を規制する開閉規制部材と、を備え、開閉規制部材はビーズを糸で編んで形成された細長状の細長状体を有することを特徴とするバッグである。
【００１１】
本発明は、開閉規制部材の細長状体は帯状からなり、細長状体に帯状の帯状体が貼り付けられていることを特徴とするバッグである。
【００１２】
本発明は、開閉規制部材は細長状体に設けられた取付金具を介してバッグ本体に取り付けられることを特徴とするバッグである。
【００１３】
本発明は、開閉規制部材は細長状体に接続金具を介して接続される細長状の保安用細長状体をさらに有し、保安用細長状体は、保安用細長状体に設けられた連結金具を介して、バッグ本体またはバッグ本体に収納された収納物に連結されることを特徴とするバッグである。
【００１４】
本発明は、保安用細長状体はビーズを糸で編んで形成されていることを特徴とするバッグである。
【００１５】
本発明は、バッグの取手に取り付けられる装飾品であって、ビーズを糸で編んで形成された細長状の細長状体を備えたことを特徴とするバッグ用の装飾品である。
【００１６】
本発明は、細長状体は帯状からなり、細長状体に帯状の帯状体が貼り付けられている
ことを特徴とするバッグ用の装飾品である。
【００１７】
本発明は、細長状体に設けられた取付金具を介してバッグに取り付けられることを特徴とするバッグ用の装飾品である。
【００１８】
本発明は、細長状体に接続金具を介して接続される細長状の保安用細長状体をさらに備え、保安用細長状体は、保安用細長状体に設けられた連結金具を介して、バッグまたはバッグに収納された収納物に連結されることを特徴とするバッグ用の装飾品である。
【００１９】
本発明は、保安用細長状体はビーズを糸で編んで形成されていることを特徴とするバッグ用の装飾品である。
【発明の効果】
【００２０】
本発明によれば、バッグ本体に取り外し自在に取り付けられる開閉規制部材が、バッグ本体の開口の自由な開閉を規制するとともに、極めて優れた装飾性を有するように形成され得る。したがって、バッグの実用性およびファション性を高めることができる。
【００２１】
また、このような開閉規制部材を構成し極めて優れた装飾性を有する細長状体を、バッグ用の装飾品として用いることもできる。
【発明を実施するための最良の形態】
【００２２】
以下添付図面を参照して本発明の実施の形態について説明する。
【００２３】
図１および図２は本発明によるバッグ１０の一実施の形態を示す図である。このうち図１はバッグ１０を示す斜視図であり、図２は開閉規制部材３０を示す概略図である。
【００２４】
図１および図２に示すように、本実施の形態によるバッグ１０は、開閉自在な開口２２と、開口２２を間に挟むようにして、すなわち開口２２の両側に設けられた一対の取手２４，２４と、を有するバック本体２０と、バック本体２０の一対の取手２４，２４に取り外し自在に取り付けられ、開口２２の開閉を規制する開閉規制部材３０と、を備えている。
【００２５】
図１に示すように、バック本体２０は内部に内ポケット２６を有しており、この内ポケット２６はファスナー２８を介して開閉自在となっている。
【００２６】
次に、図２により開閉規制部材３０について詳述する。
【００２７】
図２に示すように、本実施の形態による開閉規制部材３０は、多数のビーズ１を糸２で編み込んで形成された細長状のビーズ編み物からなる細長状体３２を有している。ここで、ビーズ１は、樹脂、ガラス、または水晶等からなり、球状、多面体状、または柱状等の大小様々な形状を有し、糸を挿入するための貫通孔が設けられている。このビーズ１は着色されていることが好ましい。また、ここでいう糸２はビーズ１の貫通孔に挿通され得る細長糸状のものを意味し、所謂テグスや、ステンレス製のワイヤ等も含む概念である。
【００２８】
本実施の形態において、細長状体３２は大小様々な大きさのビーズ１を糸２で編み込んで形成された薄くて細長い帯状からなり、両端部に飾り３４が設けられている。また中間部にも立体的なリボン状の飾り３６が設けられている。
【００２９】
なお、このような細長状体３２は単なる例示であり、細長状で有る限りにおいてその構成は特に限定されるものではない。したがって、様々な材質、形状、色、または大きさのビーズ１や、様々な材質、色、または太さの糸２を用いてもよいし、多種多様な飾りを適切な位置に配置してもよいし、あるいは細長状体３２の形状を細長く延びる紐状に構成することも可能である。すなわち、細長状体３２は多種多様な美感を満足させることができるように構成され得り、極めて優れた装飾性を発揮することができる。
【００３０】
また、本実施の形態において、図２に示すように、帯状からなる細長状体３２の一部に帯状の帯状体３８が貼り付けられている。この帯状体３８の材料は、例えば、革、合皮、布、ゴム、または樹脂等から選択され得る。特に、摩擦係数の高い材料からなることが好ましい。
【００３１】
さらに、図１および図２に示すように、本実施の形態による開閉規制部材３０は、接続金具４４を介して接続される細長状の保安用細長状体４０をさらに有している。図２に示すように、本実施の形態の保安用細長状体４０は細長い紐状からなり、その一方の端部にビーズ１を挿通した糸２を介して接続金具４４が取り付けられている。この接続金具４４は細長状体３２に設けられた立体状の飾り３６に固定することができるようになっている（図２）。なお、本実施の形態において、接続金具４４としてフック状の金具（かん）からなるものを例示しているが（図２）、細長状体３２と保安用細長状体４０とを接続することができる限りにおいて、特に限定されるものではない。
【００３２】
また、保安用細長状体４０のもう一方の端部にビーズ１を挿通した糸２を介して連結金具４６が取り付けられている。この連結金具４６はバッグ本体２０の内部または外部、あるいはバッグ本体２０内の収納物に固定することができるようになっている。また、連結金具４６は保安用細長状体４０自身にも固定することができるようになっており、これにより、保安用細長状体４０は輪状部を形成することができる。なお、連結金具４６は、保安用細長状体４０をバッグ本体２０、またはバッグ本体２０内の収納物、または保安用細長状体４０等に連結することができる限りにおいて、特に限定されるものではない。
【００３３】
このような保安用細長状体４０は、上述した細長状体３２と同様に、多数のビーズ１を糸２で編み込んで形成されたビーズ編み物からなっている。図２に示すように、保安用細長状体４０の両端部には飾り４２が設けられており、保安用細長状体４０の外観において接続金具４４および連結金具４６が目立って美感を損ねないようになっている。
【００３４】
なお、細長状体３２と同様に、このような保安用細長状体４０は単なる例示であり、細長状である限りにおいてその構成は特に限定されるものではなく、多種多様な美感を満足することができるように構成され得る。
【００３５】
次にこのような構成からなる本実施の形態の作用について説明する。
【００３６】
使用者は、まず、開閉規制部材３０が取り付けられていない状態で、バッグ本体２０の一対の取手２４，２４を互いに対して離間する向きに引っ張る。これにより、バッグ本体２０の開口２２が開き、物をバッグ本体２０内に容易に収納することができ、また収納物をバッグ本体２０内から容易に取り出すことができる。
【００３７】
次に、バッグ１０を持ち運ぶ際について説明する。
【００３８】
まず、使用者はバッグ本体２０の取手２４，２４を接近させ、一対の取手２４，２４を束にする（図１）。バッグ本体２０の開口２２は、これにともなって自動的に閉じる。その後、バッグ本体２０の開口２２を跨ぐようにして、束ねられた取手２４に開閉規制部材３０の細長状体３２を巻き付ける。これにより、バッグ本体２０の開口２２の閉じられた状態からの自由な開閉が規制され、バッグ本体２０から収納物が落下しにくくなるとともに、バッグ本体２０内から収納物が盗難されにくくなる。
【００３９】
また、上述したように、細長状体３２は多種多様な美感を満足させることができるように構成され、極めて優れた装飾性を発揮することができる。特に、飾り、編み方、およびビーズの色や大きさに変化を持たすことにより、全く趣味趣向の異なる細長状体３２を得ることができる。したがって、バッグ１０自体のファッション性を格段に高めることができる。特に、取手２４への巻き付け方だけでなく、細長状体３２自体によって立体的な装飾性を発揮することができる。また、趣味趣向の異なる細長状体３２を複数用意しておくことにより、同一のバッグ本体２０を状況に応じて使い分けることも可能である。
【００４０】
さらに、細長状体３２はスカーフ等と異なり、ある程度の重さを有している。したがって、いったん巻き付けられた細長状体３２はバッグ本体２０の取手２４から外れにくい。さらに、細長状体３２の両端部には飾り３４が形成されており、飾り３４は細長状体３２の取手への巻き付け方に関係なく下方に垂れ下がる。この飾り３４の重さによって、さらに細長状体３２は取手２４から外れにくくなっている。さらにまた、細長状体３２が取手２４から外れにくいということから、バッグ１０の持ち運び中に細長状体３２自体が落下してしまった場合や、盗難されそうになった場合に、使用者はその事実に気付き易い。このため、お気に入りのビーズ編み物からなる細長状体３２を紛失しにくくなっている。
【００４１】
さらにまた、スカーフ等に比べ、ビーズ編み物は丈夫であり、また取り扱い易い。すなわち、バッグ１０の持ち運び中に、細長状体３２を破損してしまう可能性が低く、また、雨水等で汚れた場合の手当ても容易に行うことができる。
【００４２】
ところで、図２に示すように、細長状体３２には帯状体３８が貼り付けられている。細長状体３２を巻き付ける際、細長状体３２に貼り付けられた帯状体３８がバッグ本体２０の取手２４に当接するように巻き付けることが好ましい（図１）。この場合、細長状体３２が角張ったビーズ１を有していたとしても、ビーズ１がバッグ本体２０を傷つけてしまうことを防止することができるからである。また、帯状体３８がゴム等の摩擦係数の高い材料からなる場合、帯状体３８は滑り止めとしても機能し、これにより、バッグ本体２０から細長状体３２をさらに外れにくくさせることができる。
【００４３】
次に、このようにしてバッグ本体２０の取手２４に巻き付けられた細長状体３２に、接続金具４４を介して保安用細長状体４０を接続する。本実施の形態において、接続金具４４は保安用細長状体４０の端部に取り付けられており、この接続金具４４を細長状体３２の立体的な飾り３６に取り付けて、保安用細長状体４０を細長状体３２に接続する。また、保安用細長状体４０の他方の端部には連結金具４６が取り付けられている。この連結金具４６をバッグ本体２０の内部、例えば、内ポケット２６のファスナー２８に取り付けて（図１）、保安用細長状体４０とバッグ本体２０とを連結することができる。
【００４４】
これにより、細長状体３２は保安用細長状体４０を介してバッグ本体２０へ固定されるので、細長状体３２を落下しあるいは盗難される等して紛失してしまうことを防止することができる。
【００４５】
また、上述したように、保安用細長状体４０は細長い紐状のビーズ編み物からなっている。したがって、細長状体３２と同様の視覚的な作用効果を奏することができ、バッグのファッション性が一層高められる。この場合、接続金具４４および連結金具４６は保安用細長状体４０の両端部に設けられた飾りにより、外観に現れにくくなっている。したがって、接続金具４４と連結金具４６とにより、バッグ１０のファッション性を落としてしまうことはない。
【００４６】
なお、連結金具４６をバッグ本体２０の内部に固定し、保安用細長状体４０を介して細長状体３２とバッグ本体２０とを連結する例を示したが、これに限られない。連結金具４６をバッグ本体２０の外部に固定し、保安用細長状体４０を介して細長状体３２とバッグ本体２０とを連結するようにしてもよい。この場合、装飾効果を有する保安用細長状体４０がより外部に露出されることにより、さらにバッグ１０のファッション性を高めることができる。また、バッグ本体２０の取手２４の周りに保安用細長状体４０を周回させた後、連結金具４６を保安用細長状体４０自身に取り付けることによって、取手２４に固定された保安用細長状体４０を介して細長状体３２とバッグ本体２０とを連結することもできる。この場合においても、保安用細長状体４０が外部に露出し、バッグ１０のファッション性を高めることができる。また、周回数を調整することにより保安用細長状体４０を様々な形状および大きさの取手２４に取り付けることができるので、一つの保安用細長状体４０をバッグ本体２０に適用し得る。
【００４７】
また、連結金具４４をバッグ本体２０に収納された収納物に取り付けることも可能である。この場合、バッグ本体２０に収納された貴重品がバック本体２０から落下し、または盗難されて紛失してしまうことを防止することができる。
【００４８】
さらに、バッグ本体２０への収納物の出し入れを頻繁に行う場合等、開口２２の自由な開閉を規制する必要がない場合には、開閉規制部材３０の細長状体３２をどちらか一方の取手２４だけに取り付けておけばよい。この場合、バッグ本体２０の開口２２を自由に開閉することができるともに、上述してきたように優れた装飾性を発揮する開閉規制部材３０が取り付けられたままなのでバッグ１０の優れたファッション性を維持することができる。
【００４９】
以上のように本実施の形態によれば、開閉自在な開口２２と、開口２２を挟んで設けられた一対の取手２４，２４と、を有するバック本体２０に、バッグ本体２０の開口２２の自由な開閉を規制するための開閉規制部材３０が一対の取手２４，２４に巻き付けられることによって取り付けられている。
【００５０】
そして、開閉規制部材３０はビーズ１に糸２を挿通し、多数のビーズ１を糸２で編むことによって形成された細長状のビーズ編み物からなる細長状体３２および保安用細長状体４０からなっている。したがって、本実施の形態によるバッグ１０はバッグ本体２０の有する実用性およびファッション性を向上させることができる。
【００５１】
特に、このような細長状体３２および保安用細長状体４０は使用者の好みに合致した美感を有するように形成され得り、優れた装飾性を発揮する。したがって、バッグ１０の形状を変えるだけでは表現することができなかった個性を表現することができるとともに、他のバッグ１０からの識別性を発揮することができる。これにより、本実施の形態のバッグ１０は多数のバッグの中において際立ち、購買者の購買意欲をそそることができる。また、趣味趣向の異なる細長状体３２および保安用細長状体３２を複数用意しておき、状況に応じて細長状体３２および保安用細長状体４０を選択することにより、一つのバッグ本体２０を様々な状況において用いることができる。
【００５２】
また、保安用細長状体４０を設けたことにより、細長状体３２を紛失する危険性、あるいはバッグ本体２０に収納された収納物を紛失する危険性を減ずることができ、これによりバッグ本体２０の実用性を向上させることができる。
【００５３】
さらに、細長状体３２には帯状体３８が貼り付けられており、この帯状体３８により多数のビーズ１を有する細長状体３２がバッグ本体２０を傷つけてしまうことを防止することができる。また、摩擦係数の高い材料から帯状体３８を形成することにより、帯状体３８が滑り止めとして機能するので、細長状体３２がバッグ本体２０から意図せず外れてしまう可能性を低減することができる。
【００５４】
さらにまた、開閉規制部材３０は、細長状体３２をバッグ本体２０の取手２４に巻き付けることにより、バッグ本体２０の開口２２自由な開閉を規制している。したがって、開閉規制部材３０は磁石を有しておらず、これにより、電磁的な記録手段等を有するカード類をバッグ本体に収納した場合においても、磁気によってカード類に記録された情報が破壊あるいは消去してしまうことはない。
【００５５】
なお、本実施の形態において、開閉規制部材３０が保安用細長状体４０と細長状体３２とからなる例を示したが、これに限られず、保安用細長状体４０を取り外して細長状体３２だけで開閉規制部材３０を構成してもよい。
【００５６】
また、本実施の形態において、保安用細長状体４０を、多数のビーズ１を糸２で編み込んだビーズ編み物から形成した例を示したが、これに限らず、糸や布から形成してもよい。
【００５７】
さらに、本実施の形態において、保安用細長状体４０の一方の端部に接続金具４４を設け、保安用細長状体４０の一方の端部を細長状体３２に接続する例を示したが、これに限られない。保安用細長状体４０の中間部に接続金具４４を設け、保安用細長状体４０の中間部を細長状体３２に接続させるようにしてもよい。この場合、細長状体３２への接続部を挟んだ保安用細長状体４０の一方の側をバッグ本体２０と細長状体３２とを連結するために用い、細長状体３２への接続部を挟んだ保安用細長状体４０の他方の側を細長状体３２とバッグ本体２０の収納物とを連結するために用いることができる。これにより、一つの保安用細長状体４０により、バッグ本体２０からの細長状体３２および収納物の紛失を防止することができる。
【００５８】
さらにまた、本実施の形態において、巻き付けることによって、バッグ本体２０の一対の取手２４，２４に細長状体３２を取り付ける例を示したが、これに限られない。図３に示すように、細長状体３２の両端部に互いに係合して固定し合う取付金具４８を糸１によって取り付け、この取付金具４８を介して、開閉規制部材３０の細長状体３２をバッグ本体２０に取り付けてもよい。この場合、開閉規制部材３０のバッグ本体２０への取り付け取り外しをより容易に行うことができるという利点を有する。なお、この取付金具４８は、細長状体３２を取手２４に取り付けることができる限りにおいて特に限定されず、いずれの型式の金具を用いてもよい。また、図３に示す細長状体３２は細長帯状からなり、その長手方向に沿った両縁部には飾り３５が設けられている。
【００５９】
ところで、これまで細長状体３２をバッグ本体２０の開口２２の自由な開閉を規制する開閉規制部材３０として用いた例を示したが、これに限られない。上述した細長状体３２を単独で、あるいは上述した保安用細長状体４０との組合せで、バッグ１０に取り付けるバッグ用の装飾品５０として用いることができる。
【００６０】
図４にバッグ用の装飾品５０の一実施の形態を示す。
【００６１】
なお、図４に示すバッグ用の装飾品５０の実施の形態において、図１乃至図３を用いて説明したバッグ１０の実施の形態と同一部分には同一符号を付すとともに、その部分についての詳細な説明は省略する。
【００６２】
図４に示すように、装飾品５０は、バッグ１５の取手２４に取り付けられる装飾品であって、ビーズ１を糸２で編み込んで形成された細長状の細長状体３２と、細長状体３２に接続金具４４を介して接続される細長状の保安用細長状体４０と、を備えている。
【００６３】
装飾品５０として用いる場合、上述した開閉自在な開口と開口を挟んで設けられた一対の取手とを有するバッグ本体に限定されず、図４に示すように、取手が１本しかないバッグ１５にも適用することができる。この場合、細長状体３２は、バッグ１５の開口の自由な開閉を規制することを除き、上述した作用効果と同一の作用効果、とりわけ優れた装飾性を発揮することができる。
【００６４】
また、バッグ１０の実施の形態において説明したように、バッグ１５の保護および、装飾品５０の細長状体３２がバッグ１０の取手２４から滑り落ちることを防止するため、細長状体３２に帯状の帯状体３８を貼り付けてもよい（図２）。
【００６５】
さらに、バッグ１０の実施の形態において説明したように、状況に応じて保安用細長状体４０を細長状体３２から取り外して装飾品５０を用いることもできる。
【００６６】
さらにまた、バッグ１０の実施の形態において説明したように、細長状体３２に取付金具４８を設け、この取付金具４８を介して細長状体３２をバッグ１５に取り付けてもよい（図３）。
【図面の簡単な説明】
【００６７】
【図１】本発明によるバッグの一実施の形態を示す斜視図。
【図２】バッグの開閉規制部材を示す概略図。
【図３】開閉規制部材の変形例を示す斜視図。
【図４】本発明によるバッグ用の装飾品の一実施の形態を示す斜視図。
【符号の説明】
【００６８】
１０  バッグ
１５  バッグ
２０  バッグ本体
２２  開口
２４  取手
２６  内ポケット
２８  ファスナー
３０  開閉規制部材
３２  細長状体
３４  飾り
３５  飾り
３６  飾り
３８  帯状体
４０  保安用細長状体
４２  飾り
４４  接続金具
４６  連結金具
４８  取付金具
５０  装飾品
【図１】
2006102300.tif 000003
【図２】
2006102300.tif 000004
【図３】
2006102300.tif 000005
【図４】
2006102300.tif 000006